(57)【特許請求の範囲】
【請求項１】
走行車体（２）には前側から後側に順次ボンネット（５）で被覆されているエンジン（Ｅ）、ステアリングハンドル（７）、操縦席（６）を備えている運転部、操縦席（６）の左右両側及び後側を取り囲む薬液タンク（９）を備え、運転部を囲むように簡易型キャビン（２５）を備えた作業車であって、該簡易型キャビン（２５）を、骨格を形成するキャビンフレーム（２６）と、フロントガラス（２７c）の嵌め込まれている前側窓フレーム（２７）と、キャビンの前側天井部を被覆し且つ着色した可撓性シートの取り付けられている前側ルーフフレーム（２８）と、キャビンの左右両面及び後側面を被覆する透明な可撓性シートで構成し、該キャビンフレーム（２６）を、機体左右方向中心部上方に前後方向に沿うように配置する上側フレーム（２６a）と、機体後側部左右方向中心部に上下方向に沿うように配置する後側フレーム（２６b）とで側面視逆L字型に構成し、該後側フレーム（２６b）の下端部を走行車体（2）の後側部左右方向中心部に取り付け、前記前側窓フレーム（２７）をフロントガラス（２７c）の嵌め込まれている正面視四角形状の上部前側窓フレーム（２７a）と、該上部前側窓フレーム（２７a）の下部左右両側部位で且つ前記ボンネット（５）の後方から下方に延出している左右下部フレーム（２７b）で構成し、該左右下部フレーム（２７b，２７b）の下端部を走行車体（２）の前側部左右両側に取り付け、前記上部前側窓フレーム（２７a）の上部左右中心部を前記上側フレーム（２６a）の前側端部に連結し、前記前側ルーフフレーム（２８）の後側部に着色した可撓性シートの取り付けられている後側ルーフフレーム（２９）を延長可能に設けたことを特徴とする作業車。
【請求項２】
請求項１の発明において、前記上部前側窓フレーム（２７a）のフロントガラス（２７c）を上側部あるいは下側部の左右方向の軸回りに回動可能に構成し、フロントガラス（２７c）の下側部あるいは上側部を前方へ開放可能に構成したことを特徴とする作業車。
【請求項３】
請求項２の発明において、前記上部前側窓フレーム（２７a）のフロントガラス（２７c）の上側部を左右方向の軸回りに回動可能に構成し、フロントガラス（２７c）を前方上方へ開放可能に構成したことを特徴とする作業車。
【発明の詳細な説明】
【技術分野】
【０００１】
この発明は、作業車に関し、特に作業車の簡易型キャビンに関するものである。
【背景技術】
【０００２】
薬液散布作業機において、操縦席の左右両側部を前後辺部及び上下辺部からなるアルミフレームでそれぞれ形成し、左右両側のアルミフレームの前側と後側をそれぞれ鉄フレームで連結することでキャブフレームを構成し、アルミフレームは透明な可撓性シートを取り付けて操縦席の左右両側を覆い、透明な可撓性シートをファスナーで開閉操作することで乗降できるように構成し、アルミフレームの上辺部にルーフを固定する構成とし、操縦席の後側と左右両側を囲むように平面視でコ字状に形成された薬液タンクを搭載した簡易型キャビンは、公知である（特許文献１）。
【先行技術文献】
【特許文献】
【０００３】
【特許文献１】特許第４６３５３７８号公報
【発明の概要】
【発明が解決しようとする課題】
【０００４】
先行技術のものは、キャビンフレームを左右のアルミ製フレームで枠組み構成し、左右の鉄製フレームを前側上部フレーム,前側下部フレーム,後側フレームで構成し、これらの左右方向の鉄製フレームで左右のアルミフレームを連結し枠組構成し、該枠組構成に透明な可撓性シート,フロントガラス,ルーフを取り付けた構成である。
【０００５】
本発明は、側面視逆L字型のキャビンフレームとフロントガラスの取り付けられている前側窓フレームとでキャビンフレームを構成し簡単化し、このキャビンフレームに透明な可撓性シート,ルーフを取り付け、更に、前側ルーフに対して後側ルーフを開放可能に取り付け、フロントガラスを前側に開放可能に構成することにより、キャビン内の空間雰囲気を良好にし、機体前側部のエンジンの点検操作を容易にしようとするものである。
【課題を解決するための手段】
【０００６】
本発明は、前記課題を解決するために次のような技術的手段を講じた。
【０００７】
請求項１の発明は、走行車体（2）には前側から後側に順次ボンネット（５）で被覆されているエンジン（Ｅ）、ステアリングハンドル（７）、操縦席（６）を備えている運転部、操縦席（６）の左右両側及び後側を取り囲む薬液タンク（９）を備え、運転部を囲むように簡易型キャビン（２５）を備えた作業車であって、該簡易型キャビン（２５）を、骨格を形成するキャビンフレーム（２６）と、フロントガラス（２７c）の嵌め込まれている前側窓フレーム（２７）と、キャビンの前側天井部を被覆し且つ着色した可撓性シートの取り付けられている前側ルーフフレーム（２８）と、キャビンの左右両面及び後側面を被覆する透明な可撓性シートで構成し、該キャビンフレーム（２６）を、機体左右方向中心部上方に前後方向に沿うように配置する上側フレーム（２６a）と、機体後側部左右方向中心部に上下方向に沿うように配置する後側フレーム（２６b）とで側面視逆L字型に構成し、該後側フレーム（２６b）の下端部を走行車体（2）の後側部左右方向中心部に取り付け、前記前側窓フレーム（２７）をフロントガラス（２７c）の嵌め込まれている正面視四角形状の上部前側窓フレーム（２７a）と、該上部前側窓フレーム（２７a）の下部左右両側部位で且つ前記ボンネット（５）の後方から下方に延出している左右下部フレーム（２７b）で構成し、該左右下部フレーム（２７b，２７b）の下端部を走行車体（２）の前側部左右両側に取り付け、前記上部前側窓フレーム（２７a）の上部左右中心部を前記上側フレーム（２６a）の前側端部に連結し、前記前側ルーフフレーム（２８）の後側部に着色した可撓性シートの取り付けられている後側ルーフフレーム（２９）を延長可能に設けたことを特徴とする作業車である。
【０００８】
請求項２の発明は、請求項１の発明において、前記上部前側窓フレーム（２７a）のフロントガラス（２７c）を上側部あるいは下側部の左右方向の軸回りに回動可能に構成し、フロントガラス（２７c）の下側部あるいは上側部を前方へ開放可能に構成したことを特徴とする作業車である。
【０００９】
請求項３の発明は、請求項２の発明において、前記上部前側窓フレーム（２７a）のフロントガラス（２７c）の上側部を左右方向の軸回りに回動可能に構成し、フロントガラス（２７c）を前方上方へ開放可能に構成したことを特徴とする作業車である。
【発明の効果】
【００１０】
請求項１の発明によると、簡易型キャビンを側面視逆L字型の上側フレーム（２６a）,後側フレーム（２６b）と前側窓フレーム（２７）で枠組み構成し、この枠組み構成に可撓性シートの取り付けられているルーフフレーム（２８,２９）、キャビンの左右両面及び後側面を被覆する透明な可撓性シートを付設したので、簡単な構成としコストの低減を図ることができる。また、着色した可撓性シートの取り付けられている前側ルーフフレーム（２８）のみを取り付けた状態では、キャビンの後側部への外気の流通を良好にし、オペレータはキャビン内から後方の点検操作や作業状態の確認を容易にすることができる。また、前側ルーフフレーム（２８）に後側ルーフフレーム（２９）を接続して取り付けると、直射日光や小雨の影響を少なくし、運転空間を快適にすることができる。
【００１１】
請求項２の発明によると、上部前側窓フレーム（２７a）のフロントガラス（２７c）を上側部あるいは下側部の左右方向の軸回りに開放可能に構成したので、オペレータはキャビン内に居ながらフロントガラス（２７c）を前方に開放し、ボンネット（５）を開放しエンジン（E）を容易に点検することができる。
【００１２】
請求項３の発明によると、上部前側窓フレーム（２７a）のフロントガラス（２７c）の上側部を左右方向の軸回りに回動可能に構成し、フロントガラス（２７c）を前方上方へ開放回動可能に構成したので、キャビン内に居ながらオペレータは上半身を前方に乗り出し、ボンネット（５）内のエンジン（E）を容易に点検することができる。
【図面の簡単な説明】
【００１３】
【図１】薬液散布作業機の側面図。
【図２】薬液散布作業機の平面図。
【図３】薬液散布作業機の正面図。
【図４】簡易型キャビンを取り付けた薬液散布作業機の側面図。
【図５】簡易型キャビンを取り付けた薬液散布作業機の平面図。
【図６】簡易型キャビンを取り付けた薬液散布作業機の正面図。
【図７】薬液散布作業機の前側部の側面図。
【図８】薬液散布作業機の側面図、スイッチの正面図。
【図９】薬液散布作業機の前側部の正面図、平面図。
【図１０】液散布作業機の前側部の正面図、平面図。
【図１１】液散布作業機の前側部の正面図、平面図。
【図１２】薬液散布作業機の前側部の平面図。
【発明を実施するための形態】
【００１４】
以下図面を参照しながら作業機に一実施形態である薬液散布作業機について説明する。
【００１５】
まず、図１〜図６に基づき本発明を備えた薬液散布作業機１の全体構成について説明する。なお、作業機の前進方向を基準にして左右、前後と記載している。
【００１６】
薬液散布作業機１の走行車体２には左右一対の前輪３，３、後輪４，４が設けられていて、走行車体２の前側部には防除散布装置１１が取り付けられている。
【００１７】
なお、本実施形態の薬液散布作業機１は、図９に示すように最低地上高を高くし車輪間距離（トレッド）を広く構成している。
【００１８】
走行車体２の左右前輪３，３間の上方にはボンネット５で覆われたエンジンＥが搭載されている。左右前輪３，３と左右後輪４，４間の上方には操縦席６６を設け、操縦席６の前方にステアリングハンドル７が設けられている。
【００１９】
ステアリングハンドル７を左右に操舵すると、左右一対の前輪３，３及び後輪４，４が同時に連動し互いに逆位相に操舵され、小回り走行ができる四輪操舵構成としている。
【００２０】
また、操縦席６の左右両側及び後側を取り囲むように薬液タンク９を設けている。図４,図５に示すように、走行車体２の後部から後部補助枠体２aを延設し、走行車体2の後部上面及び後部補助枠体２aの上面に跨るように薬液タンク9を載置し着脱自在に取り付けている。後部補助枠体２aのいずれか一方の下方部位に防除ポンプ１０を設けている。
【００２１】
また、図１〜３に示すように、防除散布装置１１は機体前方に位置するセンター散布ブーム１１ｃと、センター散布ブーム１１ｃの左右両側に取り付けている左右散布ブーム１１Ｌ，１１Ｒとで構成されている。
【００２２】
防除散布装置１１は昇降シリンダ１５により昇降し、左右散布ブーム１１Ｌ，１１Ｒを左右開閉シリンダ１７，１７により開閉回動可能に構成し、左右開閉レバー（図示省略）を操作すると、左右散布ブーム１１Ｌ，１１Ｒをそれぞれ単独で左右両側に突出した散布作業状態（図２,図３に示す）と、走行車体２の両側方に沿わせた収納状態（図１に示す）とに変更できるように構成している。なお、１３,１３は収納状態の左右散布ブーム１１L,１１Rを保持する左右保持枠である。
【００２３】
薬液タンク９の薬液は防除ポンプ１０により防除散布装置１１に送られ、センター散布ブーム１１ｃ，左右散布ブーム１１Ｌ，１１Ｒの多数の散布ノズル１４，…から薬液が散布される。
【００２４】
また、走行車体２の後部にはPTO軸（図示省略）を後方に突出するように軸架し、走行車体２の後部には左右方向の軸回りに上下回動する左右昇降アーム２２,２２を設け、左右昇降アーム２２,２２を昇降シリンダ（図示省略）により昇降回動し、薬液タンク9の据え付け面の下方部位から所定距離上方までの間を昇降回動するように構成している。
【００２５】
薬液タンク9を取り外した状態で、左右昇降アーム２２,２２の後端部に例えばロータリ耕耘装置（図示省略）を連結し、PTO軸からロータリ耕耘装置に動力を伝達し、耕耘作業もできるように構成している。
【００２６】
次に、図４〜図６に基づき簡易型キャビン２５について説明する。
【００２７】
簡易型キャビン２５は乗用作業機の操縦席６を囲むように構成されていて、骨格を形成するキャビンフレーム２６と、フロントガラス２７cの嵌め込まれている前側窓フレーム２７と、透明な可撓性シートの取り付けられている前側ルーフフレーム２８、透明な可撓性シートの取り付けられている後側ルーフフレーム２９と、簡易型キャビン２５の左右両面及び後側面を被覆する透明な可撓性シートで構成されている。
【００２８】
この可撓性シートの後側下部は薬液タンク９の内側面と操縦席６の間に位置し、可撓性シートの乗降側である例えば左側部を上下方向のファスナーで開閉自在に構成している。
【００２９】
なお、簡易型キャビン２５の左右両面及び後側面を被覆する透明な可撓性シートを、フレーム部材の上部に設けた巻き込みロールで巻き取り可能に構成し、引き出し張設し、巻き取り収納するように構成してもよい。
【００３０】
キャビンフレーム２６は例えば断面丸棒で、上側フレーム２６aと後側フレーム２６bとで側面視逆L字型に一体構成されている。そして、上側フレーム２６aは走行車体２の左右方向中心部上方で前後方向に沿うように配置し、後側フレーム２６bは左右方向中心部に上下方向に沿うように配置し、その下端部を操縦席６取り付け用の操縦席フレーム３０にボルト締結している。
【００３１】
後側フレーム２６bの上下方向中途部を左右方向の軸２６c回りに回動自在に連結し、走行車体２から取り外した時には後側フレーム２６bを折り曲げてコンパクトに収納できるようにしている。
【００３２】
前記前側窓フレーム２７はフロントガラス２７cが嵌め込まれていて正面視四角形状の上部前側窓フレーム２７aと、上部前側窓フレーム２７aの下部左右両側から下方に延出している左右下部フレーム２７b,２７bとで構成されている。左右下部フレーム２７の下端部を走行車体2の前側部左右両側部に取り付け、上部前側窓フレーム27aの上部左右中心部をキャビンフレーム２６の前側端部に取り付け枠組構成している。
【００３３】
なお、左右下部フレーム２７b,２７bの上部を左右方向の軸２７d,２７d回りに回動自在に構成し、取り外し時には折り曲げコンパクトに収納できるようにしている。
【００３４】
上部前側窓フレーム２７の上端部あるいは下端部を左右方向の軸回りに回動するヒンジで支持し、上部前側窓フレーム２７aの上部あるいは下部を前方へ開放回動できるようにしている。オペレータは簡易キャビン２５内に居ながら前方のボンネット５を開放し、エンジンEを容易に点検できる。
【００３５】
ルーフ部材はキャビンの天井前側部を覆う前側ルーフフレーム２８と、天井後側部を覆う後側ルーフフレーム２９とで構成されていて、前側ルーフフレーム２８の後端に後側ルーフフレーム２９の前端を着脱自在で且つ開閉可能に取り付けている。
【００３６】
前側ルーフフレーム２８及び後側ルーフフレーム２９は平面視で四角形状の枠体に着色した可撓性シートを取り付けた構成で、サンバイザーとしての機能を持たせている。しかして、ルーフの面積を広げたり狭くしたりすることにより、直射日光や小雨に対応し作業空間を快適化することができる。
【００３７】
なお、後側ルーフフレーム２９の可撓性シートをロールで巻き取り開閉可能に構成すると、後側ルーフフレーム２９の開閉操作が迅速にすることができる。
【００３８】
前側窓フレーム２７は、正面視四角形状の枠体にフロントガラスを嵌め込んだ上部前側窓フレーム２７aと、上部前側窓フレーム２７aの下部左右両側から下方に延出している左右下部枠体２７b,２７bとで構成している。
【００３９】
そして、上部前側窓フレーム２７aに嵌め込まれているフロントガラス２７cの上端部あるいは下端部を左右方向の軸回りに回動するヒンジで支持し、フロントガラス２７cの上部あるいは下部を前方へ開放回動できるように構成している。しかして、オペレータはキャビン内からボンネット5を開放し、エンジンEの点検を容易することができる。
【００４０】
簡易型キャビン２５内における上部前側窓フレーム２７aの前側右側部にブラケットを介して扇風機３２を取り付け、前側右側方からオペレータに送風し冷却するようにし、簡易型キャビン２５の左側から乗降し扇風機３２が邪魔にならないようにしている。
【００４１】
なお、このキャビンフレーム２６の後側ルーフフレーム２８の後側部に扇風機３２を取り付け、オペレータの後頭部に送風し冷却するようにしてもよい。
【００４２】
キャビンフレーム２６の後側フレーム２６bの上部における着座姿勢のオペレータの頭部の上方部位に反射鏡３４を取り付け、路上走行の安全を確保し、オペレータの後方視界を良好にし、薬液タンク９取り付け時の後方視界を良好にしている。
【００４３】
前記上部前側窓フレーム２７aの上部左右両側に左右前側作業灯３６,３６を取り付け、後側ルーフフレーム２９の後部左右両側部に左右後側作業灯３８,３８を取り付け、夜間作業時の前後作業視界を良好にしている。
【００４４】
次に、図７に基づきドリフト防護カバー４２について説明する。
【００４５】
走行車体２の前側部の横枠４０から前方へ突出するように支持フレーム４１を取り付け、支持フレーム４１の前端部に防除散布装置１１のセンター散布ブーム１１ｃを左右方向に沿うように取り付けている。支持フレーム４１の後側部にブラケット４２aを介してドリフト防護カバー４２を後下がり傾斜状に垂れ下がるように取り付け、センター散布ブーム11cの左右全幅後方を覆うようにしている。ドリフト防護カバー４２を散布圧力で作物を傷つけない程度の長さ（例えば、10センチ程度）の柔軟性板体で構成している。
【００４６】
前記ドリフト防護カバー４２により、散布ノズル１４と作物上部との距離が把握しやすくなり、センター散布ブーム１１cの散布高さを適正に設定することができる。また、ドリフト防止カバー４２で霧状の散布薬液を押し下げながら後方へ案内し散布効率を高め、散布薬液がオペレータにかかるのを防止することができる。
【００４７】
次に、図８について説明する。
【００４８】
走行車体２の例えば左側乗降部に補助ステップ４５を設け、オペレータの乗降を容易にしている。補助ステップ４５の例えば最下段部位に左散布ブーム１１L昇降用の昇降用スイッチ４７を設け、オペレータが作業機に乗り込む際に補助ステップ４５の昇降用スイッチ４７を昇降操作できるように構成している。この昇降用スイッチ４７はエンジン始動用のキースイッチが通電状態に操作していない状態でも作動するように別の電源回路に接続されている。
【００４９】
しかして、作業機にオペレータが乗り込む際に補助ステップ４５の昇降用スイッチ４７を操作し、左散布ブーム１１Lを上昇させてオペレータは楽に乗り込むことができる。
【００５０】
また、前記昇降用スイッチ４７を左散布ブーム１１Lにおけるオペレータの乗降位置近傍の例えば下面に配設し、オペレータが乗り込む際に昇降用スイッチ４７を操作し、左散布ブーム１１Lを上昇させるように構成してもよい。
【００５１】
次に、図９及び図１０に基づき左右前輪３,３の支架構成について説明する。
【００５２】
本実施形態の薬液散布作業機１は、最低地上高を例えば５００mm以上となるように高く構成し、車輪間距離（トレッド）を広く構成している。
【００５３】
鋳物製の前車軸ケース５１の左右中心部にデフケース５２を配設し、前車軸ケース５１の左右中央付近で例えば右前車軸ケース５１R（図9,図10では左側）を短く、左前車軸ケース５１L（図9,図10では右側）にはデフケース５２を含むように長くなるように左右に分割し、左右前車軸ケース５１L,５１RL,５１Rの分割面５１aを接合しボルト締結している。
【００５４】
左右前車軸ケース５１L,５１Rの左右両側には左右縦ケース５３，５３を下側ほど左右に広がるように傾斜状に延出し、左右縦ケース５３，５３の下端部に左右前輪ケース５４，５４を縦軸心回りに操舵自在に支架し、左右前輪ケース５４,５４に左右前輪３,３を支架し、デフケース５２からケース内の左右前輪伝動手段（図示省略）を介して動力を伝達している。
【００５５】
長く構成されている左前車軸ケース５１Lの左右中心部前側にパワーステアリング用のシリンダ５５を左右方向に沿うように配設し、シリンダ５５の左右ステアリングロッド５６，５６を左右に伸縮し、左右タイロッド５７，５７を介して左右前輪３,３を操舵するように構成している。
【００５６】
図10に示すように、左右前車軸ケース５１L,５１Rの連結部前側面に連結板５８をボルト締結し補強している。この連結板５８は、デフケース５２の入力軸５２aの下側を迂回するように左右中央部を上下方向に狭く、左右両側部を幅広になるように正面視屈曲構成されていて、連結板５８の左右両側部上下４か所にわたりボルト締結している。
【００５７】
前記構成によると、連結板５８を引っ張り強度だけでなく、曲げ強度やねじり強度も強くなり、連結板５８を小さくコンパクトに構成しながら強度を最大限に高めことができる。
【００５８】
なお、左右後輪４,４も同様に構成されている。
【００５９】
次に、図１１,図１２に基づき左右前車軸ケース５１L,５１R及びパワーステアリング用のシリンダ５５の取り付け構成について説明する。
【００６０】
前車軸ケース５１の左右中央部で例えば右前車軸ケース５１Rを短く、左前車軸ケース５１Lをデフケースが含まれるように長く分割構成し、左右前車軸ケース５１L,５１Rの内側面を接合し、リーマボルト５９で締結し、更に、左右前車軸ケース５１L,５１Rの合わせ面にフランジ５１b,５１bを構成しボルト締結している。
【００６１】
長く構成されている左前車軸ケース５１Lの左右中央部前側にパワーステアリング用のシリンダ５５を左右方向に沿うようにし、左前車軸ケース５１の左右中心部から前方に突出している支持筒６０にシリンダ５５側の後方へ突出している支持軸６１を前側から差し込み嵌合している。そして、差し込みしている支持軸６１の抜け止め用溝（図示省略）に、左右前車軸ケース５１L,５１R連結用の左右方向に沿うリーマボルト５９で契合支持し、左右前車軸ケース５１L,５１R及びシリンダ５５を同時に締め付け連結するようにしている。
【００６２】
前記構成によると、左右前車軸ケース５１L,５１R連結用のリーマボルト５９を利用してシリンダ５５の位置決め、抜け止めを合わせて行うことができ、構成を簡単化し、コストの低減を図ることができる。
【００６３】
なお、左右後輪４,４も同様に構成されている。
【符号の説明】
【００６４】
２      走行車体
３      前輪
４      後輪
５      ボンネット
６      操縦席
７      ステアリングハンドル
９      薬液タンク
１１    防除散布装置
２５    簡易型キャビン
２６    キャビンフレーム
２６a    上側フレーム
２６b    後側フレーム
２７    前側窓フレーム
２７a    上部前側窓フレーム
２７b    左右下部フレーム
２７c    フロントガラス
２８    前側ルーフフレーム
２９    後側ルーフフレーム
Ｅ      エンジン
【図１】
0006447363.tif 000002
【図２】
0006447363.tif 000003
【図３】
0006447363.tif 000004
【図４】
0006447363.tif 000005
【図５】
0006447363.tif 000006
【図６】
0006447363.tif 000007
【図７】
0006447363.tif 000008
【図８】
0006447363.tif 000009
【図９】
0006447363.tif 000010
【図１０】
0006447363.tif 000011
【図１１】
0006447363.tif 000012
【図１２】
0006447363.tif 000013